(57)【要約】【課題】本発明は、通水開始直後あるいは通水中に電気分解強度を切り替えた時に捨て水なしに一定量採水した水のｐＨ値を所望の値にすることができるアルカリイオン整水器を提供することを目的とする。【解決手段】本発明は、供給された原水を電気分解してアルカリイオン水及び酸性イオン水を生成する電解槽７と、電気分解するための通電制御を行なうコントローラー１５と、通水量を検知する流量検知手段５と、少なくとも所望のｐＨ値を設定するための操作表示部１６を備えたアルカリイオン整水器であって、流量検知手段５によって通水開始が検知されると、コントローラー１５の電解調節手段１７が過渡的に所望の電解電圧よりも高い電圧を印加して電解電圧に漸近させることを特徴とする。【選択図】図１
2006187702.tif 000002
【特許請求の範囲】
【請求項１】
供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、前記流量検知手段によって通水開始が検知されると、前記制御部に設けられた電解調節手段が過渡的に所望の電解電圧よりも高い電圧を印加して前記電解電圧に漸近させることを特徴とするアルカリイオン整水器。
【請求項２】
供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、通水中に弱い電解強度から強い電解強度への切り替えが検知されると、前記制御部に設けられた電解調節手段が過渡的に所望の電解電圧よりも高い電圧を印加して前記電解電圧に漸近させることを特徴とするアルカリイオン整水器。
【請求項３】
供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、通水中に強い電解強度から弱い電解強度への切り替えが検知されると、前記制御部に設けられた電解調節手段が過渡的に所望の電解電圧よりも低い電圧を印加して前記電解電圧に漸近させることを特徴とするアルカリイオン整水器。
【請求項４】
前記電解電圧よりも低い電圧を印加するのに代えて、電気分解を中断することを特徴とする請求項３記載のアルカリイオン整水器。
【発明の詳細な説明】
【技術分野】
【０００１】
本発明は、水道水等の原水を電気分解して、飲用、医療用として利用するアルカリイオン水及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性イオン水を生成し、陰極側にアルカリイオン水を生成するものである（例えば特許文献１参照）。
【０００３】
以下、従来の連続電解方式のアルカリイオン整水器について説明する。図５は従来のアルカリイオン整水器の概略構造図である。図５において、１は水道水等の原水管、２は水栓、３は水栓２を介して原水管１と接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水を確認し、コントローラーに制御指示する流量検知手段、６はグリセロリン酸カルシウムや乳酸カルシウム等のカルシウムイオンを原水中に付与し原水導伝率を高めるカルシウム供給部、７は流量検知手段５を経由してきた水を電気分解してアルカリイオン水、酸性イオン水を生成する電解槽、８は電解槽７を２分し、電極室を形成する隔膜、９，１０は隔膜８で２分されて形成された各電極室に配置された電極板、１１は電極板１０側の水（電極板１０が陽極の場合は酸性イオン水）を排出する排水管、１２は電極板９側の水（電極板９が陰極の場合はアルカリイオン水）を吐出する吐水管、１３は電源投入用プラグ、１４は電源投入用プラグ１３からの交流電源を直流電源に変換する電源部、１５はアルカリイオン整水器３の動作を制御するコントローラー、１６は利用者がイオン水の水質やｐＨ値、各種機能の選択設定を行なう操作表示部でありコントローラー１５に接続されている。
【０００４】
次に、以上のように構成された従来のアルカリイオン整水器３について、以下そのアルカリイオン水を生成する際の動作を説明する。利用者はアルカリイオン水生成モード、酸性イオン水生成モードまたは浄水モード等所望の水質モードおよびｐＨ値を操作表示部１６の所定のボタンを押下することにより選択し、水栓２を開いて通水を行なう。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１３からはＡＣ１００Ｖが供給され、電源部１４内のトランス及び制御用直流電源で電気分解に必要な直流電圧電流を発生させ、コントローラー１５を介して電解槽７の電極板９，１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリイオン水生成モード時においては電極板１０が陽極となり、電極板９が陰極となる。また酸性イオン水生成モード時においては電極板９が陽極となり、電極板１０が陰極となる。
【０００５】
さて、通水後コントローラー１５は流量検知手段５からの出力信号を読み取り、単位時間当たりにアルカリイオン整水器本体に流れる流量レベルが一定量を越えるとこの状態を通水中と判断する。この時、すでに選択されている水質モードおよびｐＨ値に応じた電気分解条件のもとコントローラー１５は電解槽７に対して所定の電力を供給する。これにより、アルカリイオン水生成モード時においては電極板９が陰極かつ電極板１０が陽極となり吐水管１２よりアルカリイオ水ンが吐出されると共に排水管１１より排水を排出する。酸性イオン水生成モード時においては電極板９が陽極かつ電極板１０が陰極となり吐水管１２より酸性イオン水が吐出されると共に排水管１１より排水を排出する。また、浄水モード時においては電極板９，１０には電力が供給されず吐水管１２より浄水が吐出されると共に排水管１１より排水を排出する。その後、単位時間当たりにアルカリイオン整水器本体に流れる流量レベルが一定量を下回るとこの状態を止水と判断し、電解槽７への電力の供給を終了する。
【特許文献１】特許第３３１９９３８号公報
【発明の開示】
【発明が解決しようとする課題】
【０００６】
アルカリイオン整水器においては、通水後に吐水管１２から吐出されるアルカリイオン水または酸性イオン水のｐＨ値が所望の値になっていることが要求される。アルカリイオン整水器のユーザーは、電気分解中に吐水管１２の端部でアルカリイオン水または酸性イオン水を待ち受け、採水することが多いからである。しかし、通水開始後に流量検知手段５が通水を検知することにより、電極板９，１０に電力が供給され、安定したｐＨになるまでには所定の時間を要し、この間に電気分解されていない水が吐出され、捨て水をしないで容器等で採水したときには、アルカリイオン水または酸性イオン水のｐＨ値が所望の値に達することがなかった。図６は従来のアルカリイオン整水器の通水開始からの一定量採水毎の水のｐＨ値変化図、図７は従来のアルカリイオン整水器の通水中に電解強度を切り替えた場合の切替からの一定量採水毎の水のｐＨ値変化図、図８は従来のアルカリイオン整水器の通水中に電解強度を切り替えた場合の切替からの一定量採水毎の水のｐＨ値変化図である。図６〜図８は通水初期時または通水切り替え時においてｐＨ値がなかなか所望の値に達していないことを示している。
【０００７】
そこで本発明は、通水開始直後あるいは通水中に電気分解強度を切り替えた時に捨て水なしに一定量採水した水のｐＨ値を所望の値にすることができるアルカリイオン整水器を提供することを目的とする。
【課題を解決するための手段】
【０００８】
この課題を解決するために本発明は、供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、流量検知手段によって通水開始が検知されると、制御部に設けられた電解調節手段が過渡的に所望の電解電圧よりも高い電圧を印加して電解電圧に漸近させることを主要な特徴とする。
【発明の効果】
【０００９】
本発明によれば、通水開始直後あるいは通水中に電気分解強度を切り替えた時に、捨て水をしなくても一定量採水した水のｐＨ値を所望の値にすることができ、吐水ｐＨ値が安定したアルカリイオン整水器が得られる。
【発明を実施するための最良の形態】
【００１０】
上記課題を解決するために本発明の第１の発明は、供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、流量検知手段によって通水開始が検知されると、制御部に設けられた電解調節手段が過渡的に所望の電解電圧よりも高い電圧を印加して電解電圧に漸近させるアルカリイオン整水器あり、通水開始直後の電気分解されていない水を過渡的に所望のｐＨ値以上のｐＨ値となるような電気分解を行なうことにより、一定量採水した水のｐＨ値を所望の値にすることができる。
【００１１】
本発明の第２の発明は、供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、通水中に弱い電解強度から強い電解強度への切り替えが検知されると、制御部に設けられた電解調節手段が過渡的に所望の電解電圧よりも高い電圧を印加して電解電圧に漸近させるアルカリイオン整水器としたものであり、通水中に弱い電解強度から強い電解強度に切り替える時、過渡的に所望のｐＨ値以上のｐＨ値となるような電気分解を行なうことにより、一定量採水した水のｐＨ値を所望の値にすることができる。
【００１２】
本発明の第３の発明は、供給された原水を電気分解してアルカリイオン水及び酸性イオン水を生成する電解槽と、電気分解するための通電制御を行なう制御部と、通水量を検知する流量検知手段と、少なくとも所望のｐＨ値を設定するための設定入力部を備えたアルカリイオン整水器であって、通水中に強い電解強度から弱い電解強度への切り替えが検知されると、制御部に設けられた電解調節手段が過渡的に所望の電解電圧よりも低い電圧を印加して電解電圧に漸近させるアルカリイオン整水器としたものであり、通水中に強い電解強度から弱い電解強度に切り替える時、過渡的に所望のｐＨ値以下のｐＨ値となるような電気分解を行なうことにより、一定量採水した水のｐＨ値を所望の値にすることができる。
【００１３】
本発明の第４の発明は、第３の発明に従属する発明であって、電解電圧よりも低い電圧を印加するのに代えて、電気分解を中断するアルカリイオン整水器であり、通水中に強い電解強度から弱い電解強度に切り替える時、過渡的に電気分解を中断することにより、簡単に一定量採水した水のｐＨ値を所望の値にすることができる。
【００１４】
以下、本発明の実施例について、図１〜図４を用いて説明する。
【実施例】
【００１５】
（実施例１）
図１は本発明の実施例１におけるアルカリイオン整水器の概略構造図、図２は本発明の実施例１におけるアルカリイオン整水器の通水初期時における一定量採水毎の水のｐＨ値変化図である。図１において、従来例の説明で用いた符号と同一符号のものは実施例１においても基本的に同一であるため、重複は避け、詳細な説明は従来例のところに譲って省略する。
【００１６】
図１に示すように、１は水道水等の原水管、２は水栓、３はアルカリイオン整水器本体、４は浄水部、５は流量検知手段、６はカルシウム供給部、７は電解槽、８は隔膜、９，１０は電極板、１１は排水管、１２は吐水管、１３は電源投入用プラグ、１４は電源部、１５はコントローラー（本発明の制御部）、１６は操作表示部（本発明の設定入力部）である。このコントローラー１５はハードウェアとしてマクロプロセッサー、ソフトウェアとして通電制御とその他のシステム制御を行なうためのプログラムからなり、各機能ごとにそれを実行するためのプログラムが記憶部（図示しない）から読み出されてマイクロプロセッサーで実行され、機能実現手段として構成される。
【００１７】
そして、１７は電解調節手段であって、コントローラー１５で構成されるこのような機能実現手段の１つであり、流量検知手段５で検出した通止水状態及び操作表示部１６で設定された水質設定状態（少なくともｐＨ値）に基づいて、電極板９，１０に対してコントローラー１５が印加する直流電圧を調節するものである。
【００１８】
実施例１においては、通水開始時に流量検知手段５からの出力信号が検出されると、通電解調節手段１７は設定されたｐＨ値と対応する電解電圧よりも高い電圧を電極板９，１０に所定時間印加し、続く印加時間はこれより少し電圧を下げて印加し、さらにこれを繰り返し、３度目、４度目・・の印加時間に降下させた電圧を印加することにより電解電圧に漸近させ、最終的に設定ｐＨ値の電解電圧を印加するように調節するものである。なお、この漸近は、１度だけ高い電圧を印加して直ちに電解電圧を印加するような場合も含むものである。
【００１９】
そこでこの処理についてさらに説明すると、実施例１の電解調節手段１７は、操作表示部１６から入力された所望のｐＨ値と原水のｐＨ値、及び通水量とに基づいて、予め決定されて記憶部（図示しない）に格納されている印加漸近回数と印加時間、印加電圧を読み出して本来の電気分解に対して調節を行なう。所望のｐＨ値が原水のｐＨから大きくなるに従って印加漸近回数を増すのがよい。なお、電解調節手段１７がこのような調節を行なわない場合には、通水開始時に電極板９，１０から水に加えられる単位時間当たりのエネルギー量は、電解槽７内に溜まっている原水の量に対して少な過ぎ、生成されたイオンはこの水量で希釈され、吐出される水のｐＨ値は低くなってしまう。
【００２０】
しかし、本実施例１においては、当初単位時間当たりに加えるエネルギー量をその後の安定電解時に必要なエネルギー量の１．１倍〜５倍程度とし、その後徐々に低下させる。そしてこれを実現するため、過渡的に印加電圧を上昇させ、徐々に安定時に必要な電解電圧まで低下させる。ただ、過度に電圧を上昇させ過ぎると逆にｐＨが上昇しすぎる場合があるので電圧の上昇は１．１倍〜２倍の程度が好適である。そしてこのような印加を１ｓｅｃ〜３ｓｅｃの印加時間で繰り返せばよい。なお、このような調節で過渡的に供給する全エネルギー量は、電解槽７内の原水を設定ｐＨ値にするためのエネルギー量に相当するものである。そして、実施例１は電圧の制御を直流電圧電流のパルス幅制御で行なっているため、パルス幅のデューティ比をステップ状に変化させることで上述の処理は簡単に行われる。なお、印加電圧と印加漸近回数は上記のものに限られるものではない。
【００２１】
以上のように構成された実施例１のアルカリイオン整水器について、以下そのアルカリイオン水を生成する際の動作について説明する。利用者は、水質設定のためまず操作表示部１６の所定のボタンを押下して、アルカリイオン水生成モード、酸性イオン水生成モードまたは浄水モード等所望の水質モード及びｐＨ値を選択し、水栓２を開いてアルカリイオン整水器内に通水する。
【００２２】
水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１３からはＡＣ１００Ｖが供給され、電源部１４内のトランス及び制御用直流電源で電気分解に必要な直流電圧電流を発生させ、コントローラー１５を介して電解槽７の電極板９，１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。なお、アルカリイオン水生成モード時においては電極板１０が陽極となり、電極板９が陰極となる。また酸性イオン水生成モード時においては電極板９が陽極となり、電極板１０が陰極となる。これらは従来のアルカリイオン整水器と同様である。
【００２３】
さて、実施例１のアルカリイオン整水器においては、通水後、アルカリイオン整水器本体３に流れる流量レベルが一定量を越えると、電解調節手段１７が、操作表示部１６から設定された水質モード及びｐＨ値と対応付けられた印加電圧と印加漸近回数、印加時間を読み出して、通水初期時の電気分解の調節を行なって電気分解する。すなわち、電極板９，１０に設定ｐＨ値の電解電圧よりも高い電圧を所定時間印加させ、続いて少し電圧を下げて印加を行ない、これを繰り返して設定された電解電圧に漸近させ、最終的に所望のｐＨと対応した電解電圧を印加する。これにより実施例１においては、吐出側で一定量採水した水のｐＨ値が所望のｐＨ値と異なることを防止することができる。
【００２４】
これを従来のアルカリイオン整水器と実施例１のアルカリイオン整水器で比較すると、従来のアルカリイオン水を生成する場合は図６（ａ）から分るように通水初期時にｐＨ値が所望の値と大きくずれた値を示しており、所望の値に達するまでにかなりの時間を要していることが分る。所望のｐＨ値の水を得るためには従来はかなりの捨て水が必要であった。これに対し、実施例１においては図２（ａ）に示すように、通水初期時においてｐＨ値が所望値に達しているか（１回の印加で所望値となる場合）、もしくは短時間のうちに達することできる。従ってこの場合捨て水は不要となる。なお、図２（ａ）は本発明の実施例１におけるアルカリイオン整水器の通水初期時における通水開始から一定量採水毎の水のｐＨ値変化をグラフにしたものである。
【００２５】
このように実施例１のアルカリイオン整水器は、通水開始時に流量検知手段５からの出力信号を検出したら、電解調節手段１７によって所望の電解電圧よりも高い印加電圧を印加し、その後この電解電圧を印加するため、通水開始直後においても、一定量採水した水のｐＨ値を所望の値、もしくはその近傍値にして短時間で所望のｐＨ値にすることができる。
【００２６】
（実施例２）
実施例２は、通水中に弱い電解強度から強い電解強度に切り替える場合の切り替え直後のｐＨ値変動を抑えるアルカリイオン整水器に関するものである。図３は本発明の実施例２におけるアルカリイオン整水器の通水中に弱い電解強度から強い電解強度に切り替えた場合の一定量採水毎の水のｐＨ値変化図である。
【００２７】
実施例２のアルカリイオン整水器の構成は、実施例１のアルカリイオン整水器の構成と基本的に同一である。実施例２においては、コントローラー１５が通水中に操作表示部１６から電気分解強度切り替えの入力があったことを検出すると、電解調節手段１７が印加中の弱い電解強度に対応した電解電圧より高い電圧を所定時間印加させ、続く印加時間は少し電圧を下げて印加させ、さらにこれを繰り返すことにより、これにより電解電圧に漸近させ、最終的に設定された所望の電解電圧を印加するようにするものである。なお、この漸近は、１度だけ高い電圧を印加して直ちに電解電圧を印加する場合も含むものである。
【００２８】
実施例２の電解調節手段１７は、通水中に、その通水量と、操作表示部１６から入力された所望のｐＨ値と現在設定されているｐＨ値とに基づいて、予め決定されて記憶部に格納されている印加漸近回数と印加時間、印加電圧を読み出して電気分解の調節を行なう。両者のｐＨ値の差が大きい場合印加漸近回数を増すのがよい。このような調節で過渡的に供給される全エネルギー量は、通水中の電解槽７内の原水を新たに設定されたｐＨ値に変えるためのエネルギー量に相当するものである。実施例２の場合も、電圧の制御を直流電圧電流のパルス幅制御で行なうときには、パルス幅のデューティ比を変化させることで簡単に実行できる。
【００２９】
実施例２によれば、図３に示すように電気分解強度切り替え時に短時間で所望のｐＨ値に達することが分る。これに対し、従来のアルカリイオン整水器は図７から分るように切り替え時にｐＨ値が所望の値と大きくずれた値を示しており、所望の値に達するまでにかなりの時間を要している。所望のｐＨ値の水を得るためには従来かなりの捨て水が必要であったが、実施例２の場合不要となる。なお、図７は従来のアルカリイオン整水器の通水中に弱い電解強度から強い電解強度に切り替えた場合の電気分解強度切り替え時における一定量採水毎の水のｐＨ値変化をグラフにしたものである。
【００３０】
このように実施例２によれば通水中の電気分解強度切り替え時において、弱い電解強度から強い電解強度に切り替えた場合に、電解調節手段が所望の電解電圧よりも高い電圧を印加させ、その後最終的に所望の電解電圧を印加させるため、通水中の電気分解強度切り替え時においても、一定量採水した水のｐＨ値を所望の値にするか、もしくは短時間で所望の値にすることができる。
【００３１】
（実施例３）
実施例３は、通水中に強い電解強度から弱い電解強度に切り替える場合の切り替え直後のｐＨ値変動を抑えるアルカリイオン整水器に関するものである。図４は本発明の実施例３におけるアルカリイオン整水器の通水中に強い電解強度から弱い電解強度に切り替えた場合の一定量採水毎の水のｐＨ値変化図にしたものである。
【００３２】
実施例３のアルカリイオン整水器の構成は、実施例１のアルカリイオン整水器の構成と基本的に同一である。実施例３においては、コントローラー１５が通水中に電気分解強度切り替えの入力があったことを検出すると、電解調節手段１７が印加中の強い電解強度に対応した電解電圧より低い電圧を所定時間印加させ、続く印加時間は少し電圧を上げて印加し、さらにこれを繰り返すことにより、少しずつ上げた電圧を印加して電解電圧に漸近させ、最終的に設定された所望の電解電圧を印加するようにするものである。なお、この漸近は、１度だけ高い電圧を印加して直ちに電解電圧を印加する場合も含むものである。また、印加電圧を下げるのに代えて、電気分解を中断して通水を続けるのでも同様である。
【００３３】
実施例３の電解調節手段１７は、通水中に、その通水量と、操作表示部１６から入力された所望のｐＨ値と現在設定されているｐＨ値とに基づいて、記憶部に格納されている予め決定された印加漸近回数と印加時間、印加電圧を読み出して電気分解の調節を行なう。両者のｐＨ値の差が大きい場合印加漸近回数を増すのがよい。このような調節で過渡的に減少される全エネルギー量は、通水中の電解槽７内の原水を新たに設定されたｐＨ値にするためのエネルギー量に相当するものである。実施例３の場合も、電圧の制御を直流電圧電流のパルス幅制御で行なうときには、パルス幅のデューティ比を変化させることで簡単に実行できる。
【００３４】
実施例３によれば、図４に示すように電気分解強度切り替え時に短時間でｐＨ値が所望の値に達していることが分る。これに対し、従来のアルカリイオン整水器は図８から分るように切り替え時にｐＨ値が所望の値と大きくずれた値を示しており、所望の値に達するまでにかなりの時間を要していることが分る。所望のｐＨ値の水を得るためには従来かなりの捨て水が必要であったが、実施例３の場合不要となる。なお、図８は従来のアルカリイオン整水器の通水中に強い電解強度から弱い電解強度に切り替えた場合の電気分解強度切り替え時における一定量採水毎の水のｐＨ値変化をグラフにしたものである。
【００３５】
このように実施例３によれば通水中の電気分解強度切り替え時において、強い電解強度から弱い電解強度に切り替えた場合に、所定の電解電圧よりも低い電圧を印加し、その後最終的に所望の電解電圧を印加するため、通水中の電気分解強度切り替え時においても、一定量採水した水のｐＨ値を所望の値にするか、もしくは短時間で所望の値にすることができる。
【産業上の利用可能性】
【００３６】
本発明は、通水開始直後あるいは通水中に電気分解強度を切り替えた時に、一定量採水した水のｐＨ値を所望の値にすることができるアルカリイオン整水器として利用である。
【図面の簡単な説明】
【００３７】
【図１】本発明の実施例１におけるアルカリイオン整水器の概略構造図
【図２】本発明の実施例１におけるアルカリイオン整水器の通水初期時における一定量採水毎の水のｐＨ値変化図
【図３】本発明の実施例２におけるアルカリイオン整水器の通水中に弱い電解強度から強い電解強度に切り替えた場合の一定量採水毎の水のｐＨ値変化図
【図４】本発明の実施例３におけるアルカリイオン整水器の通水中に強い電解強度から弱い電解強度に切り替えた場合の一定量採水毎の水のｐＨ値変化図
【図５】従来のアルカリイオン整水器の概略構造図
【図６】従来のアルカリイオン整水器の通水開始からの一定量採水毎の水のｐＨ値変化図
【図７】従来のアルカリイオン整水器の通水中に電解強度を切り替えた場合の切替からの一定量採水毎の水のｐＨ値変化図
【図８】従来のアルカリイオン整水器の通水中に電解強度を切り替えた場合の切替からの一定量採水毎の水のｐＨ値変化図
【符号の説明】
【００３８】
１    原水管
２    水栓
３    アルカリイオン整水器本体
４    浄水部
５    流量検知手段
６    カルシウム供給部
７    電解槽
８    隔膜
９、１０    電極板
１１    排水管
１２    吐水管
１３    電源投入用プラグ
１４    電源部
１５    コントローラー
１６    操作表示部
１７    電解調節手段
【図１】
2006187702.tif 000003
【図２】
2006187702.tif 000004
【図３】
2006187702.tif 000005
【図４】
2006187702.tif 000006
【図５】
2006187702.tif 000007
【図６】
2006187702.tif 000008
【図７】
2006187702.tif 000009
【図８】
2006187702.tif 000010